(57)【要約】【課題】マルチコアの希土類元素添加光ファイバに光ファイバ横断面において強度が均一な励起光の入射を安価に且つ比較的容易に行うことができる光ファイバ及びそれを用いた光増幅器を提供する。【解決手段】本発明の光ファイバは、希土類元素を実質的に含有しない複数のコア１０と、複数のコア１０の周囲を囲繞する第１クラッド２０と、第１クラッド２０の周囲を囲繞する第２クラッド３０とを備え、複数のコア１０のいずれのコア１０よりも第１クラッド２０の方が屈折率が低く、第１クラッド２０よりも第２クラッド３０の方が屈折率が低い。【選択図】図１
2013033863.tif 000002
【特許請求の範囲】
【請求項１】
希土類元素を実質的に含有していない複数のコアと、前記複数のコアの周囲を囲繞する第１クラッドと、前記第１クラッドの周囲を囲繞する第２クラッドとを備え、
前記複数のコアのいずれのコアよりも前記第１クラッドの方が屈折率が低く、
前記第１クラッドよりも前記第２クラッドの方が屈折率が低い、
光ファイバ。
【請求項２】
前記第１クラッドは、光ファイバ横断面において円形であり、
前記第１クラッド内に、該第１クラッドとは屈折率が異なるとともに光ファイバ軸方向に沿って延びる光方向変更部が存している、請求項１に記載されている光ファイバ。
【請求項３】
前記光方向変更部は、前記複数のコアのうち前記第２クラッドに最も近いコアよりも該第２クラッドに近い位置に存している、請求項２に記載されている光ファイバ。
【請求項４】
前記光方向変更部は、前記第１クラッドよりも屈折率が低い、請求項３に記載されている光ファイバ。
【請求項５】
前記光方向変更部は、複数であって、それぞれが光ファイバ中心軸を含む面において線対称とならない、請求項２に記載されている光ファイバ。
【請求項６】
石英パイプの空孔部分に、フッ素含有石英ロッド、ホウ素含有石英ロッド及び石英キャピラリから選ばれたもの少なくとも１本と、中心軸部分に希土類元素を実質的に含有していない複数の石英円柱とを挿入して光ファイバ母材を形成する工程と、
前記光ファイバ母材を加熱し延伸して光ファイバ前駆体を形成する工程と、
前記光ファイバ前駆体の外周を石英よりも屈折率の低い樹脂により被覆する工程と
を含む、
光ファイバの製造方法。
【請求項７】
石英ロッドに、ロッド中心軸に沿った複数の孔を開ける工程と、
前記複数の孔に、フッ素含有石英ロッド、ホウ素含有石英ロッド及び石英キャピラリから選ばれたもの少なくとも１本と、中心軸部分に希土類元素を実質的に含有していない複数の石英柱とを挿入して光ファイバ母材を形成する工程と、
前記光ファイバ母材を加熱し延伸して光ファイバ前駆体を形成する工程と、
前記光ファイバ前駆体の外周を石英よりも屈折率の低い樹脂により被覆する工程と
を含む、
光ファイバの製造方法。
【請求項８】
石英パイプの空孔部分に、フッ素含有石英ロッド、ホウ素含有石英ロッド及び石英キャピラリから選ばれたもの少なくとも１本と、中心軸部分に希土類元素を実質的に含有していない複数の石英柱とを挿入し、前記石英パイプの外周を石英よりも屈折率の低い低屈折率部材で囲繞して光ファイバ母材を形成する工程と、
前記光ファイバ母材を加熱し延伸する工程と
を含む、
光ファイバの製造方法。
【請求項９】
石英ロッドに、ロッド中心軸に沿った複数の孔を開ける工程と、
前記複数の孔に、フッ素含有石英ロッド、ホウ素含有石英ロッド及び石英キャピラリから選ばれたもの少なくとも１本と、中心軸部分に希土類元素を実質的に含有していない複数の石英柱とを挿入し、前記石英ロッドの外周を石英よりも屈折率の低い低屈折率部材で囲繞して光ファイバ母材を形成する工程と、
前記光ファイバ母材を加熱し延伸する工程と
を含む、
光ファイバの製造方法。
【請求項１０】
外層側がフッ素又はホウ素を含有した石英あるいは中心軸に沿って延びる複数の孔を備えた石英からなり、内層側が石英からなる二層構造石英ロッドを用意する工程と、
前記二層構造石英ロッドの内層側に、ロッド中心軸に沿った複数の孔を開ける工程と、
前記複数の孔に、フッ素含有石英ロッド、ホウ素含有石英ロッド及び石英キャピラリから選ばれたもの少なくとも１本と、中心軸部分に希土類元素を実質的に含有していない複数の石英柱とを挿入して光ファイバ母材を形成する工程と、
前記光ファイバ母材を加熱し延伸する工程と
を含む、
光ファイバの製造方法。
【請求項１１】
第１の光ファイバと第２の光ファイバとを備え、
前記第１の光ファイバは、
希土類元素を実質的に含有していない複数のコアと、前記複数のコアの周囲を囲繞する第１クラッドと、前記第１クラッドの周囲を囲繞する第２クラッドとを備え、
前記複数のコアのいずれのコアよりも前記第１クラッドの方が屈折率が低く、
前記第１クラッドよりも前記第２クラッドの方が屈折率が低く、
前記第２の光ファイバは、
複数のコアと、前記複数のコアの周囲を囲繞する第１クラッドと、前記第１クラッドの周囲を囲繞する第２クラッドとを備え、
前記複数のコアの少なくとも一つには希土類元素が含まれており、
前記複数のコアのいずれのコアよりも前記第１クラッドの方が屈折率が低く、    
前記第１クラッドよりも前記第２クラッドの方が屈折率が低い、
光増幅器。
【請求項１２】
前記第１の光ファイバと前記第２の光ファイバとは端部同士が接続されている、請求項１０に記載されている光増幅器。
【請求項１３】
光ファイバ横断面において、前記第１クラッドの外周の形状は、円弧と弦との組合せ又は多角形である、請求項１に記載されている光ファイバ。
【発明の詳細な説明】
【技術分野】
【０００１】
本発明は、複数のコアを備えた光ファイバ、光ファイバの製造方法及び光増幅器に関するものである。
【背景技術】
【０００２】
近年、光ファイバのコア内にＥｒ（エルビウム），Ｐｒ（プラセオジウム），Ｎｄ（ネオジム），Ｙｂ（イッテルビウム）等の希土類元素を添加した光ファイバを用いた光増幅器が実用化されている。特に、Ｅｒを添加した光ファイバ増幅器は、１．５５μｍ帯において、高利得、高飽和出力を有することから種々のシステムへ適用されている。その中でも１．５３μｍから１．５６μｍの波長帯の信号光を数波以上用いた波長多重伝送による高速、大容量、長距離伝送、ＣＡＴＶシステムへの適用が検討され、実用化に移っている。
【０００３】
コア内に希土類元素を添加した光ファイバを用いた光増幅器は、コアに信号光と励起光の両方を入射させて伝搬させて信号光を増幅する方式であり、ＷＤＭカプラなどを用いて希土類元素添加光ファイバに信号光と励起光を入射させている。
【先行技術文献】
【特許文献】
【０００４】
【特許文献１】特開平１０−２４２５４８号公報
【特許文献２】特開平９−１５９８４６号公報
【発明の概要】
【発明が解決しようとする課題】
【０００５】
通常の光ファイバはコアが一つのシングルコア光ファイバであるが、一つの光ファイバに複数のコアを備えさせるようにすれば、信号光の増幅を複数のコアで同時に行うことができる。例えば特許文献１，２にはそのような複数の希土類元素添加コアを備えたマルチコア光ファイバが開示されている。
【０００６】
しかしながら、特許文献１，２に開示された技術では、一つ一つのコアに独立に信号光と励起光との両方を入射させる必要があり、細い光ファイバの端面においてそれぞれのコアに信号光と励起光の両方を位置ずれなく入射させるのは非常に困難であるとともに、各コアごとに励起光入射装置が必要となりコスト増となる。特許文献１には、該文献の図５に光増幅器全体の構造が示されているが、信号光・励起光の入射部分は明記されておらず、各コアに位置ずれなく信号光・励起光を入射させるという問題についてはなんら記載されていない。
【０００７】
本発明は、かかる点に鑑みてなされたものであり、その目的とするところは、マルチコアの希土類元素添加光ファイバに光ファイバ横断面において強度分布が均一な励起光の入射を安価に且つ比較的容易に行うことができる光ファイバ及びそれを用いた光増幅器を提供することにある。
【課題を解決するための手段】
【０００８】
本発明の光ファイバは、希土類元素を実質的に含有していない複数のコアと、前記複数のコアの周囲を囲繞する第１クラッドと、前記第１クラッドの周囲を囲繞する第２クラッドとを備え、前記複数のコアのいずれのコアよりも前記第１クラッドの方が屈折率が低く、前記第１クラッドよりも前記第２クラッドの方が屈折率が低い構成である。希土類元素を実質的に含有しないコアというのは、励起光による光の増幅機能を有していないコアであり、該コアに含まれる希土類元素の和が１０質量ｐｐｍ以下あるいは該コアには希土類元素が含まれていないことである。
【０００９】
前記第１クラッドは、光ファイバ横断面において円形であり、前記第１クラッド内に、該第１クラッドとは屈折率が異なるとともに光ファイバ軸に沿って延びる光方向変更部が存している構成であってもよい。
【００１０】
前記光方向変更部は、前記複数のコアのうち前記第２クラッドに最も近いコアよりも該第２クラッドに近い位置に存している構成であってもよい。
【００１１】
前記光方向変更部は、前記第１クラッドよりも屈折率が低い構成であってもよい。
【００１２】
前記光方向変更部は、複数であって、それぞれが光ファイバ中心軸を含む面において線対称とならない構成であってもよい。
【００１３】
光ファイバ横断面において、前記第１クラッドの外周の形状は、円弧と弦との組合せ又は多角形であってもよい。
【００１４】
本発明の光ファイバの第１の製造方法は、石英パイプの空孔部分に、フッ素含有石英ロッド、ホウ素含有石英ロッド及び石英キャピラリから選ばれたもの少なくとも１本と、中心軸部分に希土類元素を実質的に含有していない複数の石英円柱とを挿入して光ファイバ母材を形成する工程と、前記光ファイバ母材を加熱し延伸して光ファイバ前駆体を形成する工程と、前記光ファイバ前駆体の外周を石英よりも屈折率の低い樹脂により被覆する工程とを含む構成である。石英パイプとは、石英からなる筒体のことであり、石英ロッドとは、石英からなる棒のことである。また石英キャピラリとは、石英からなり中心軸部分に孔が伸びていて中空である棒のことである。
【００１５】
本発明の光ファイバの第２の製造方法は、石英ロッドに、ロッド中心軸に沿った複数の孔を開ける工程と、前記複数の孔に、フッ素含有石英ロッド、ホウ素含有石英ロッド及び石英キャピラリから選ばれたもの少なくとも１本と、中心軸部分に希土類元素を実質的に含有していない複数の石英柱とを挿入して光ファイバ母材を形成する工程と、前記光ファイバ母材を加熱し延伸して光ファイバ前駆体を形成する工程と、前記光ファイバ前駆体の外周を石英よりも屈折率の低い樹脂により被覆する工程とを含む構成である。
【００１６】
本発明の光ファイバの第３の製造方法は、石英パイプの空孔部分に、フッ素含有石英ロッド、ホウ素含有石英ロッド及び石英キャピラリから選ばれたもの少なくとも１本と、中心軸部分に希土類元素を実質的に含有していない複数の石英柱とを挿入し、前記石英パイプの外周を石英よりも屈折率の低い低屈折率部材で囲繞して光ファイバ母材を形成する工程と、前記光ファイバ母材を加熱し延伸する工程とを含む構成である。
【００１７】
本発明の光ファイバの第４の製造方法は、石英ロッドに、ロッド中心軸に沿った複数の孔を開ける工程と、前記複数の孔に、フッ素含有石英ロッド、ホウ素含有石英ロッド及び石英キャピラリから選ばれたもの少なくとも１本と、中心軸部分に希土類元素を含有していない複数の石英柱とを挿入し、前記石英ロッドの外周を石英よりも屈折率の低い低屈折率部材で囲繞して光ファイバ母材を形成する工程と、前記光ファイバ母材を加熱し延伸する工程とを含む構成である。
【００１８】
本発明の光ファイバの第５の製造方法は、外層側がフッ素又はホウ素を含有した石英あるいは中心軸に沿って延びる複数の孔を備えた石英からなり、内層側が石英からなる二層構造石英ロッドを用意する工程と、前記二層構造石英ロッドの内層側に、ロッド中心軸に沿った複数の孔を開ける工程と、前記複数の孔に、フッ素含有石英ロッド、ホウ素含有石英ロッド及び石英キャピラリから選ばれたもの少なくとも１本と、中心軸部分に実質的に希土類元素を含有していない複数の石英柱とを挿入して光ファイバ母材を形成する工程と、前記光ファイバ母材を加熱し延伸する工程とを含む構成である。
【００１９】
本発明の光増幅器は、第１の光ファイバと第２の光ファイバとを備え、前記第１の光ファイバは、希土類元素を実質的に含有していない複数のコアと、前記複数のコアの周囲を囲繞する第１クラッドと、前記第１クラッドの周囲を囲繞する第２クラッドとを備え、前記複数のコアのいずれのコアよりも前記第１クラッドの方が屈折率が低く、前記第１クラッドよりも前記第２クラッドの方が屈折率が低く、前記第２の光ファイバは、複数のコアと、前記複数のコアの周囲を囲繞する第１クラッドと、前記第１クラッドの周囲を囲繞する第２クラッドとを備え、前記複数のコアの少なくとも一つには希土類元素が含まれており、前記複数のコアのいずれのコアよりも前記第１クラッドの方が屈折率が低く、前記第１クラッドよりも前記第２クラッドの方が屈折率が低い構成である。第２の光ファイバにおいては、希土類元素が含まれているコアは二つ以上であることが好ましい。
【００２０】
前記第１の光ファイバと前記第２の光ファイバとは端部同士が接続されていることが好ましい。
【発明の効果】
【００２１】
複数のコアが第１クラッドに囲繞されて、第１クラッドはより屈折率が低い第２クラッドに囲繞されており、コアには実質的に希土類元素が含有されていないので、モードスクランブル効果により、第１クラッドに入射させた光は光ファイバを進むに連れて、光ファイバ断面において均一な強度分布を有する光となる。
【図面の簡単な説明】
【００２２】
【図１】図１は実施形態１に係る光ファイバの横断面である。
【図２】図２は実施形態１に係る光ファイバの製造工程の途中の半製品の横断面である。
【図３】図３は実施形態１に係る光ファイバの別の製造工程の途中の半製品の横断面である。
【図４】図４は実施形態２に係る光ファイバの横断面である。
【図５】図５は実施形態２に係る光ファイバの製造工程の途中の半製品の横断面である。
【図６】図６は実施形態２に係る光ファイバの別の製造工程の途中の半製品の横断面である。
【図７】図７は実施形態２に係る光ファイバの他の製造工程の途中の半製品の横断面である。
【図８】図８は実施形態２の変形例１に係る光ファイバの横断面である。
【図９】図９は実施形態２の変形例２に係る光ファイバの横断面である。
【図１０】図１０は実施形態２の変形例３に係る光ファイバの横断面である。
【図１１】図１１は実施形態３に係る光ファイバの横断面である。
【図１２】図１２は実施形態３に係る光ファイバの製造工程の途中の半製品の横断面である。
【図１３】図１３は実施形態３に係る光ファイバの別の製造工程の途中の半製品の横断面である。
【図１４】図１４は実施形態３の変形例に係る光ファイバの横断面である。
【図１５】図１５は実施形態４に係る光ファイバの横断面である。
【図１６】図１６は実施形態４に係る光ファイバの製造工程の途中の半製品の横断面である。
【図１７】図１７は実施形態４に係る光ファイバの別の製造工程の途中の半製品の横断面である。
【図１８】図１８は実施形態４に係る光ファイバの他の製造工程の途中の半製品の横断面である。
【図１９】図１９は実施形態４の変形例ａに係る光ファイバの横断面図である。
【図２０】図２０は実施形態４の変形例ｂに係る光ファイバの横断面図である。
【図２１】図２１は実施形態４の変形例ｃに係る光ファイバの横断面図である。
【図２２】図２２は実施形態４の変形例ｄに係る光ファイバの横断面図である。
【図２３】図２３は実施形態４の変形例ｅに係る光ファイバの横断面図である。
【図２４】図２４は実施形態１に係る希土類元素添加光ファイバの横断面である。
【図２５】図２５は実施形態に係る光増幅器の模式図である。
【図２６】図２６（ａ）はリレー光ファイバに入射するときの励起光の強度分布を示す図であ、図２６（ｂ）はリレー光ファイバから出射するときの励起光の強度分布を係る光増幅器の模式図である。
【図２７】図２７は実施形態１に係る希土類元素添加光ファイバの製造工程の途中の半製品の横断面である。
【図２８】図２８は実施形態１に係る希土類元素添加光ファイバの別の製造工程の途中の半製品の横断面である。
【図２９】図２９は実施形態２に係る希土類元素添加光ファイバの横断面である。
【図３０】図３０は実施形態２に係る希土類元素添加光ファイバの製造工程の途中の半製品の横断面である。
【図３１】図３１は実施形態２に係る希土類元素添加光ファイバの別の製造工程の途中の半製品の横断面である。
【図３２】図３２は実施形態２に係る希土類元素添加光ファイバの他の製造工程の途中の半製品の横断面である。
【図３３】図３３は実施形態３に係る希土類元素添加光ファイバの横断面である。
【図３４】図３４は実施形態３に係る希土類元素添加光ファイバの製造工程の途中の半製品の横断面である。
【図３５】図３５は実施形態３に係る希土類元素添加光ファイバの別の製造工程の途中の半製品の横断面である。
【図３６】図３６は実施形態４に係る希土類元素添加光ファイバの横断面である。
【図３７】図３７は実施形態４に係る希土類元素添加光ファイバの製造工程の途中の半製品の横断面である。
【図３８】図３８は実施形態４に係る希土類元素添加光ファイバの別の製造工程の途中の半製品の横断面である。
【図３９】図３９は実施形態４に係る希土類元素添加光ファイバの他の製造工程の途中の半製品の横断面である。
【発明を実施するための形態】
【００２３】
以下、本発明の実施形態を図面に基づいて詳細に説明する。以下の図面においては、説明の簡潔化のため、実質的に同一の機能を有する構成要素を同一の参照符号で示す。
【００２４】
（実施形態１）
実施形態１に係る光ファイバ１００の横断面を図１に示す。本実施形態の光ファイバ１００は希土類元素を実質的に含有していない７本のコア１０，１０，…が光ファイバ軸方向に伸びているマルチコア光ファイバである。光ファイバ横断面において各コア１０，１０，…は、正六角形の６つの頂点と中心とに位置するように配置されており、正六角形の中心は光ファイバの中心軸に略一致している。
【００２５】
複数のコア１０，１０，…は、単一の第１クラッド２０によってそれぞれの周囲を囲繞されている。第１クラッド２０は光ファイバ横断面においては光ファイバ中心軸を中心とする円形であり、第１クラッド２０内に複数のコア１０，１０，…が埋め込まれている。なお、各コア１０，１０，…は、外周を第１クラッド２０に囲繞されているが、光ファイバ両端部においては第１クラッド２０と共に露出している。つまり複数のコア１０，１０，…は光ファイバ端部を除いて単一の第１クラッド２０内に存している。
【００２６】
第１クラッド２０は、第２クラッド３０によって周囲を囲繞されている。第２クラッド３０の外周は光ファイバ中心軸を中心とする円であって、第２クラッド３０は第１クラッド２０の外周面をほぼ均一な厚みの層によって被覆している状態となっている。もちろん、光ファイバ両端部においては第１クラッド２０の端面は第２クラッド３０の端面と共に露出している。
【００２７】
本実施形態の光ファイバ１００においては、各コア１０，１０，…はＧｅ（ゲルマニウム）を添加した石英ガラスから形成されている。第１クラッド２０は純粋石英ガラスから形成されている。第２クラッド３０は第１クラッドよりも屈折率の低いシリコーン樹脂或いは第１クラッドよりも屈折率の低いアクリル樹脂から形成されている。このような構成であるため、コア１０の屈折率が最も高く、次が第１クラッド２０の屈折率であり、最も低いのが第２クラッド３０の屈折率である。従って、コア１０を伝搬する光は第１クラッド２０によってコア１０内に閉じ込められ、第１クラッド２０を伝搬する光は第２クラッド３０によって第１クラッド２０内に閉じ込められる。即ち、本実施形態の光ファイバ１００はダブルクラッド光ファイバと呼ばれる構造を有している。また、コア１０，１０，…には希土類元素を添加していないので、コア１０，１０，…に含有されている希土類元素の量としては、全ての種類の希土類元素の和が１０質量ｐｐｍ以下である。即ち、検出される希土類元素の量は、不純物として混入していると考えられる程度の量である。
【００２８】
この光ファイバ１００は光増幅においてリレー光ファイバとして用いることができる。光増幅そのものは図２４に示す、コア１８，１８，…にＥｒ，Ｐｒ，Ｎｄ，Ｙｂ等の希土類元素（ここではＥｒ）が添加された光増幅用の光ファイバ３００により行われる。光増幅用の光ファイバ３００はコア１８，１８，…に希土類元素が添加されていることが、リレー光ファイバとしての光ファイバ１００と異なっており、他の構造、材質などは光ファイバ１００と同じである。なお、光増幅用の光ファイバ３００のコア１８，１８，…に添加されている希土類元素の濃度は、１００〜３００００質量ｐｐｍである。
【００２９】
上記の２種類の光ファイバ１００，３００を用いた光増幅器は図２５に示すように、光ファイバ１００からなる第１の光ファイバ５１０と、光ファイバ３００からなる第２の光ファイバ５２０とをＡ点にて接続した構造を備えている。第１の光ファイバ５１０と第２の光ファイバ５２０とは、各コア１０，１０，…、１８，１８，…同士及び第１のクラッド２０，２０同士を位置合わせして突き合わせ、融着して接続を行っている。
【００３０】
信号光の増幅は具体的には、図２５に示すように、信号光導入光ファイバ５０１により信号光を、励起光源５３０，５３０から励起光を、それぞれ合波器５０２を介して第１の光ファイバ５１０に入れて通過させた後、第２の光ファイバ５２０に入れて行う。信号光は第１の光ファイバ５１０の各コア１０，１０，…に入れられ、励起光は第１の光ファイバ５１０の第１クラッド２０に入れられる。
【００３１】
図２６（ａ）は合波器５０２から第１の光ファイバ５１０に入る位置での、光ファイバ横断面における励起光の強度分布を示したものである。合波器５０２において信号光と励起光とを一緒にして第１の光ファイバ５１０に入れるため、励起光の強度分布は光ファイバ横断面において均一ではなく、バラツキがある。このように励起光強度分布にバラツキがある状態で光増幅用の光ファイバである第２の光ファイバ５２０に励起光が入ると、７つのコア１８，１８，…における増幅利得がコア１８ごとにばらついてしまう。しかしながら図２６（ａ）に示す状態の励起光が第１の光ファイバ５１０を通過すると、モードスクランブル効果により図２６（ｂ）に示すように、光ファイバ横断面において励起光強度の分布が均一になる。従って図２６（ｂ）に示す強度分布にバラツキがない励起光が第２の光ファイバ５２０に入り、各コア１８，１８，…の増幅利得も略同じになり、コア１８ごとに増幅利得がばらつくことがない。
【００３２】
光ファイバ３００による信号光増幅について説明すると、光ファイバ１００に接続された光ファイバ３００の一方の端から各コア１８，１８，…に信号光が入射され、第１クラッド２０には励起光が入射される。即ち第１クラッド２０をポンプガイドとして用いる。一般的には、各コア１８，１８，…にそれぞれ異なる信号光を入れて伝搬させるため、本実施形態の光ファイバ３００を用いると１本の光ファイバで７つの信号を同時に送信・増幅することができる。第１クラッド２０を進んでいく励起光は第１クラッド２０と第２クラッド３０との境界で反射して向きを変え、時々コア１８を通過する。コア１８を通過する励起光はＥｒの働きによって信号光を増幅する。
【００３３】
本実施形態の光ファイバ１００は簡単な構造で励起光の光ファイバ横断面における強度分布を均一にすることができ、光ファイバ３００は、簡単な構造であって複数のコア１８，１８，…に同時に励起光を容易に導入することができる。従って、効率的かつ各コアでの利得が均一な光増幅を安価に行うことができる。
【００３４】
次に本実施形態の光ファイバ１００及び光ファイバ３００の製造方法について説明する。
【００３５】
−製造方法Ａ１−
製造方法Ａ１では、図２（ａ）に示すように、まず石英パイプ６０と、中心軸部分７５にＧｅを含有している石英円柱であるコア母材７０，７０，…を用意する。
【００３６】
それから石英パイプ６０の中心の空孔部分に、コア母材７０，７０，…を挿入して詰め込み、光ファイバ母材２００を作製する。
【００３７】
次に光ファイバ母材２００を加熱し、柔らかくして中心軸方向に延伸すると、石英パイプ６０とコア母材７０，７０，…との間の隙間、及びコア母材７０とコア母材７０との間の隙間がなくなり、図２（ｂ）に示す光ファイバ前駆体２０１が形成される。
【００３８】
その次に、光ファイバ前駆体２０１の外周にシリコーン樹脂あるいはアクリル樹脂を塗布することにより、光ファイバ前駆体２０１をシリコーン樹脂あるいはアクリル樹脂によって被覆する。こうして図１に示す光ファイバ１００が出来上がる。
【００３９】
光増幅用の光ファイバ３００は図２７に示すように、コア母材７０，７０，…の替わりに中心軸部分４７５にＧｅとＥｒとを含有している石英円柱であるコア母材４７０，４７０，…を用いて光ファイバ母材４００が作成され、Ｅｒをコア１８部分に含有する光ファイバ前駆体４０１が形成されることのみが光ファイバ１００との製造方法と異なっており、それ以外の部分は同じである。
【００４０】
−製造方法Ｂ１−
別の製造方法である製造方法Ｂ１を図３を参照して説明する。まず、石英ロッドを用意し、ロッド中心軸に沿って複数の孔をあける。孔は、石英ロッドの横断面において正六角形の各頂点とその中心に配置されるように開けられる。
【００４１】
次に、孔を開けられた有孔石英ロッド６２の孔に、７本のコア母材７０，７０，…を挿入して光ファイバ母材２０２を作製する。コア母材７０，７０，…の外径は、孔の径よりも少し小さく設定されている。
【００４２】
光ファイバ母材２０２を加熱し、柔らかくして中心軸方向に延伸すると、有孔石英ロッド６２とコア母材７０，７０，…との間の隙間がなくなり、光ファイバ前駆体２０１ができあがる。
【００４３】
その次に、光ファイバ前駆体２０１の外周にシリコーン樹脂あるいはアクリル樹脂を塗布することにより、光ファイバ前駆体２０１をシリコーン樹脂あるいはアクリル樹脂によって被覆する。こうして図１に示す光ファイバ１００が出来上がる。
【００４４】
光増幅用の光ファイバ３００は図２８に示すように、コア母材７０，７０，…の替わりに中心軸部分４７５にＧｅとＥｒとを含有している石英円柱であるコア母材４７０，４７０，…を用いて光ファイバ母材４０２が作成され、Ｅｒをコア１８部分に含有する光ファイバ前駆体４０１が形成されることのみが光ファイバ１００との製造方法と異なっており、それ以外の部分は同じである。
【００４５】
（実施形態２）
実施形態２に係る光ファイバ１０１の断面を図４に示す。本実施形態の光ファイバ１０１と実施形態１の光ファイバ１００との違いは、第２クラッド３１にあり、その他は同じであるので、実施形態１と異なっているところを主として説明する。また、図２９に示す希土類元素がコアに添加されている本実施形態の光ファイバ３０１も実施形態１の光ファイバ３００との違いは第２クラッド３１のみである。
【００４６】
本実施形態の光ファイバ１０１及び光ファイバ３０１は、純粋石英からなる第１クラッド２０の周囲を囲繞する第２クラッド３１がフッ素含有石英ガラスからなっている。第２クラッド３１はフッ素含有石英ガラスであるため、純粋の石英ガラスよりも屈折率が低くなる。従って、実施形態１と同じように第１クラッド２０を通過していく励起光が第２クラッド３１により第１クラッド２０内に閉じ込められる。そのため、本実施形態の光ファイバ１０１及び光ファイバ３０１は、実施形態１と同じ効果を奏する。本実施形態の光ファイバ１０１及び光ファイバ３０１により構成される光増幅器も実施形態１の光増幅器と同じ効果を奏する。
【００４７】
−製造方法Ｃ１−
本実施形態の光ファイバ１０１を製造する製造方法Ｃ１を、図５を参照にして説明する。
【００４８】
まず石英パイプ６１と、中心軸部分７５にＥｒ，Ｐｒ，Ｎｄ，Ｙｂ等の希土類元素を含有している石英円柱であるコア母材７０，７０，…を用意する。コア母材７０の中心軸部分７５にはＧｅも含有されている。
【００４９】
それから石英パイプ６１の中心の空孔部分に、コア母材７０，７０，…を挿入して詰め込む。さらにこの石英パイプ６１をフッ素含有石英パイプ（低屈折率部材）７６の中心の空孔部に入れて光ファイバ母材２１０を形成する。
【００５０】
次に光ファイバ母材２１０を加熱し、柔らかくして中心軸方向に延伸すると、石英パイプ６１とコア母材７０，７０，…との間の隙間、コア母材７０とコア母材７０との間の隙間、及び石英パイプ６１とフッ素含有石英パイプ７６との間の隙間がなくなり、図４に示す光ファイバ１０１が形成される。
【００５１】
光増幅用の光ファイバ３０１は図３０に示すように、コア母材７０，７０，…の替わりに中心軸部分４７５にＧｅとＥｒとを含有している石英円柱であるコア母材４７０，４７０，…を用いて光ファイバ母材４１０が形成されることのみが光ファイバ１０１との製造方法と異なっており、それ以外の部分は同じである。
【００５２】
−製造方法Ｄ１−
別の製造方法である製造方法Ｄ１を図６を参照して説明する。まず、石英ロッドを用意し、ロッド中心軸に沿って複数の孔をあける。孔は、石英ロッドの横断面において正六角形の各頂点とその中心に配置されるように開けられる。
【００５３】
次に、孔を開けられた有孔石英ロッド６３の孔に、複数のコア母材７０，７０，…を挿入する。コア母材７０，７０，…の外径は、孔の径よりも少し小さく設定されている。さらにこの有孔石英ロッド６３をフッ素含有石英パイプ（低屈折率部材）７６の中心の空孔部に入れて光ファイバ母材２１１を形成する。
【００５４】
次に光ファイバ母材２１１を加熱し、柔らかくして中心軸方向に延伸すると、有孔石英ロッド６３とコア母材７０，７０，…との間の隙間、及び有孔石英ロッド６３とフッ素含有石英パイプ７６との間の隙間がなくなり、図４に示す光ファイバ１０１が形成される。
【００５５】
光増幅用の光ファイバ３０１は図３１に示すように、コア母材７０，７０，…の替わりに中心軸部分４７５にＧｅとＥｒとを含有している石英円柱であるコア母材４７０，４７０，…を用いて光ファイバ母材４１１が形成されることのみが光ファイバ１０１との製造方法と異なっており、それ以外の部分は同じである。
【００５６】
−製造方法Ｅ１−
別の製造方法である製造方法Ｅ１を図７を参照して説明する。まず、二層構造石英ロッドを用意する。この二層構造石英ロッドは内層６４が石英からなり、外層７７がフッ素含有石英からなっている。この二層構造石英ロッドの内層６４に、ロッド中心軸に沿って複数の孔をあける。孔は、石英ロッドの横断面において正六角形の各頂点とその中心に配置されるように開けられる。
【００５７】
次に、孔を開けられた有孔二層構造石英ロッド７８の孔に、複数のコア母材７０，７０，…を挿入して光ファイバ母材２１２を形成する。コア母材７０，７０，…の外径は、孔の径よりも少し小さく設定されている。
【００５８】
次に光ファイバ母材２１２を加熱し、柔らかくして中心軸方向に延伸すると、有孔二層構造石英ロッド７８とコア母材７０，７０，…との間の隙間がなくなり、図４に示す光ファイバ１０１が形成される。
【００５９】
光増幅用の光ファイバ３０１は図３２に示すように、コア母材７０，７０，…の替わりに中心軸部分４７５にＧｅとＥｒとを含有している石英円柱であるコア母材４７０，４７０，…を用いて光ファイバ母材４１２が形成されることのみが光ファイバ１０１との製造方法と異なっており、それ以外の部分は同じである。
【００６０】
＜実施形態２の変形例１，２＞
図８，９に本実施形態の変形例１，２に係る光ファイバ１０２，１０３の横断面を示す。これらの変形例は、第１クラッド２１，２２の形状が上記の実施形態と異なっており、それにより第２クラッド３１の内周側形状も異なっているが、それ以外は上記の実施形態と同じであるので、同じところは説明を省略する。
【００６１】
変形例１の光ファイバ１０２の第１クラッド２１は、光ファイバ横断面において外周の円の一部が切り欠かれて、外周が円弧と弦との組合せとなっている。第２クラッド３１の内周形状も円弧と弦との組合せであるが、外周形状は円である。
【００６２】
上記の実施形態では、第１クラッド２０の外周が円形であるので、第１クラッド２０内部を進んでいく励起光の一部は、第１クラッド２０と第２クラッド３１との境界で反射を繰り返してコア１０，１０，…が存する範囲の外側の第１クラッド２０部分のみを反射を繰り返しながら進んで行ってしまう、いわゆるスキュー光となってしまう。スキュー光が存在すると、励起光の強度分布は光ファイバ断面において均一となるのに比較的長い伝達経路が必要となる。しかしながら変形例１の光ファイバ１０２は実施形態１，２の光ファイバ１００，１０１に比べて短いものであっても励起光の強度分布を均一とすることができる。
【００６３】
また、上記の実施形態では、スキュー光はコアを通過しないので光の増幅に寄与しない。従って励起光の一部が無駄になってしまう。しかしながら変形例１の構造であれば、第１クラッドの外周部分が上述の形状であることにより、弦の部分での反射がスキュー光をコア方向へ進行させるようにするため、励起光の全てを光増幅に寄与させるようにできる。そして第１クラッドの面内での励起光強度の分布が均一になり、各コアにおいて利得がばらついてしまうことを抑制することができる。
【００６４】
変形例２に係る光ファイバ１０３の第１クラッド２２は、光ファイバ横断面において外周が正六角形となっている。この形状により、変形例２と同様にスキュー光の進行方向を変えることができる。従って、変形例１と同様の効果が得られる。
【００６５】
＜実施形態２の変形例３＞
図１０に本実施形態の変形例３に係る光ファイバ１０４の横断面図を示す。この変形例は第２クラッド３２が上記の実施形態とは異なっており、それ以外は上記の実施形態と同じであるので、同じところは説明を省略する。
【００６６】
変形例３の光ファイバ１０４に係る第２クラッド３２は、石英ガラスにより構成されていると共に、第１クラッド２０との境界部分に第１クラッド２０を囲繞するように多数の空孔３５，３５，…が配置されている。空孔３５，３５，…は光ファイバ中心軸に沿って延びている。
【００６７】
本変形例に係る光ファイバ１０４では、空孔３５，３５，…部分の屈折率が石英ガラスよりも小さいので、第１クラッド２０に導入された光は第１クラッド２０内に閉じ込められ、上記の実施形態１と同じ効果を奏する。コアに希土類元素が添加されている光ファイバにおいても同様の構造の場合、上記の実施形態１と同じ効果を奏する。
【００６８】
（実施形態３）
実施形態３に係る光ファイバ１１０は、図１１に示すように、実施形態１の光ファイバ１００に光方向変更部４０が加わったものである。
【００６９】
本実施形態の光ファイバ１１０は７本のコア１０，１０，…が光ファイバ軸方向に伸びているマルチコア光ファイバである。光ファイバ横断面において各コア１０，１０，…は、正六角形の６つの頂点と中心とに位置するように配置されており、正六角形の中心は光ファイバの中心軸に略一致している。
【００７０】
複数のコア１０，１０，…は、単一の第１クラッド２０によってそれぞれの周囲を囲繞されている。第１クラッド２０は光ファイバ横断面においては光ファイバ中心軸を中心とする円形であり、第１クラッド２０内に複数のコア１０，１０，…および光方向変更部４０が埋め込まれている。なお、各コア１０，１０，…および光方向変更部４０は、外周を第１クラッド２０に囲繞されているが、光ファイバ両端部においては第１クラッド２０と共に露出している。つまり複数のコア１０，１０，…および光方向変更部４０は光ファイバ端部を除いて単一の第１クラッド２０内に存している。
【００７１】
第１クラッド２０は、第２クラッド３０によって周囲を囲繞されている。第２クラッド３０の外周は光ファイバ中心軸を中心とする円形であって、第２クラッド３０は第１クラッド３０の外周をほぼ均一な厚みの層が被覆している状態となっている。もちろん、光ファイバ両端部においては第１クラッド２０の端面は第２クラッド３０の端面と共に露出している。
【００７２】
本実施形態の光ファイバ１１０においては、各コア１０，１０，…は石英にＧｅを添加したものから形成されている。第１クラッド２０は石英から形成されている。第２クラッド３０は第１クラッドよりも屈折率の低いシリコーン樹脂或いは第１クラッドよりも屈折率の低いアクリル樹脂から形成されている。このような構成であるため、コア１０の屈折率が最も高く、次が第１クラッド２０の屈折率であり、最も低いのが第２クラッド３０の屈折率である。従って、コア１０を伝搬する光は第１クラッド２０によってコア１０内に閉じ込められ、第１クラッド２０を伝搬する光は第２クラッド３０によって第１クラッド２０及びコア１０内に閉じ込められる。即ち、本実施形態の光ファイバ１１０はダブルクラッド光ファイバと呼ばれる構造を有している。
【００７３】
第１クラッド２０内に存する光方向変更部４０は、各コア１０，１０，…のうち第２クラッド３０に最も近いコア１０（正六角形の頂点に存するコア）よりも第２クラッド３０に近い位置に存しており、光ファイバ軸に沿って延びている。つまり光方向変更部４０と第２クラッド３０との距離は、複数のコア１０，１０，…と第２クラッド３０との最短距離よりも小さい。この光方向変更部４０は、フッ素含有石英ガラスからなっており、第１クラッド２０よりも屈折率が小さい。また、コア１０，１０，…には希土類元素を添加していないので、コア１０，１０，…に含有されている希土類元素の量としては、全ての種類の希土類元素の和が１０質量ｐｐｍ以下である。即ち、検出される希土類元素の量は、不純物として混入していると考えられる程度の量である。
【００７４】
この光ファイバ１１０は光増幅においてリレー光ファイバとして用いることができる。光増幅そのものは図３３に示す、コア１８，１８，…に希土類元素（ここではＥｒ）が添加された光増幅用の光ファイバ３１０により行われる。光増幅用の光ファイバ３１０はコア１８，１８，…に希土類元素が添加されていることが、リレー光ファイバとしての光ファイバ１１０と異なっており、他の構造、材質などは光ファイバ１１０と同じである。なお、光増幅用の光ファイバ３１０のコア１８，１８，…に添加されている希土類元素の濃度は、１００〜３００００質量ｐｐｍである。
【００７５】
本実施形態の光ファイバ１１０では、第１クラッド２０を進んでいく励起光のうち、第１クラッド２０と第２クラッド３０との境界で何度も反射してもコア１０を通過しないいわゆるスキュー光は、光方向変更部４０を通過すると、第１クラッド２０と光方向変更部４０との屈折率の差のため、進行方向を変更し、実施形態１の光ファイバよりも光ファイバの長さが小さくても励起光の強度分布が光ファイバ横断面において均一になる。
【００７６】
また光増幅用の光ファイバ３１０では、光方向変更部４０によってスキュー光がやがてコア１０を通過するようになる。コア１０を通過する励起光はＥｒの働きによって信号光を増幅する。従って、上記の２種類の光ファイバ１１０，３１０を用いた光増幅器は実施形態１の光増幅器と同じ効果を奏し、さらに第１の光ファイバ５１０を実施形態１よりも短くすることができ、励起光の全てを光増幅に寄与するようにできる。そして第１クラッドの面内での励起光強度が均一になり、各コア１８，１８，…において利得がばらついてしまうことを抑制することができる。
【００７７】
本実施形態の光ファイバ１１０は、実施形態１の効果に加えて、光方向変更部４０が第１クラッド２０の外層側に存していてスキュー光をコア方向へ進行させるようにするため、光ファイバ長さが短くても励起光強度分布を均一にすることができる。また光ファイバ３１０も実施形態１の効果に加えて、励起光を全て光増幅に利用することができ、効率よい光増幅ができる。そして第１クラッド２０の面内での励起光強度が均一になり、各コア１８，１８，…において利得がばらついてしまうことを抑制することができる。また、実施形態１の変形例１，２では光ファイバ１０２，１０３と他の光ファイバを融着接続する場合に第１クラッド２１，２２が表面張力のため光ファイバ横断面において円形になろうとしてコアの位置がずれてしまい、接続損失が生じるようになるが、本実施形態の光ファイバ１１０は第１クラッド２０が光ファイバ横断面において円形であるため、コアの位置ずれによる接続損失は生じない。
【００７８】
次に本実施形態の光ファイバ１１０及び光ファイバ３１０の製造方法について説明する。
【００７９】
−製造方法Ａ２−
製造方法Ａ２では、図１２（ａ）に示すように、まず石英パイプ６０と、中心軸部分７５に希土類元素を含有している石英円柱であるコア母材７０，７０，…とフッ素含有石英ロッド８０とを用意する。コア母材７０の中心軸部分７５にはＧｅも含有されている。
【００８０】
それから石英パイプ６０の中心の空孔部分に、コア母材７０，７０，…を正六角形配置に挿入して詰め込み、その正六角形の外側の隙間にフッ素含有石英ロッド８０を詰め込んで光ファイバ母材２０４を作製する。
【００８１】
次に光ファイバ母材２０４を加熱し、柔らかくして中心軸方向に延伸すると、石英パイプ６０とコア母材７０，７０，…との間の隙間、石英パイプ６０とフッ素含有石英ロッド８０との間の隙間、コア母材７０，７０とフッ素含有石英ロッド８０との間の隙間及びコア母材７０とコア母材７０との間の隙間がなくなり、図１２（ｂ）に示す光ファイバ前駆体２０３が形成される。
【００８２】
その次に、光ファイバ前駆体２０３の外周にシリコーン樹脂あるいはアクリル樹脂を塗布することにより、光ファイバ前駆体２０３をシリコーン樹脂あるいはアクリル樹脂によって被覆する。こうして図１１に示す光ファイバ１１０が出来上がる。
【００８３】
光増幅用の光ファイバ３１０は図３４に示すように、コア母材７０，７０，…の替わりに中心軸部分４７５にＧｅとＥｒとを含有している石英円柱であるコア母材４７０，４７０，…を用いて光ファイバ母材４０４が作成され、Ｅｒをコア１８部分に含有する光ファイバ前駆体４０３が形成されることのみが光ファイバ１１０との製造方法と異なっており、それ以外の部分は同じである。
【００８４】
−製造方法Ｂ２−
別の製造方法である製造方法Ｂ２を図１３を参照して説明する。まず、石英ロッドを用意し、ロッド中心軸に沿って複数の孔をあける。孔は、石英ロッドの横断面において正六角形の各頂点とその中心及び正六角形配置の外側に配置されるように開けられる。
【００８５】
次に、孔を開けられた有孔石英ロッド６５の孔に、複数のコア母材７０，７０，…及び正六角形配置の外側の孔にフッ素含有石英ロッド８０を挿入して光ファイバ母材２０６を作製する。コア母材７０，７０，…及びフッ素含有石英ロッド８０の外径は、孔の径よりも少し小さく設定されている。
【００８６】
光ファイバ母材２０６を加熱し、柔らかくして中心軸方向に延伸すると、有孔石英ロッド６２とコア母材７０，７０，…との間の隙間、及び有孔石英ロッド６２とフッ素含有石英ロッド８０との間の隙間がなくなり、光ファイバ前駆体２０３ができあがる。
【００８７】
その次に、光ファイバ前駆体２０３の外周にシリコーン樹脂あるいはアクリル樹脂を塗布することにより、光ファイバ前駆体２０３をシリコーン樹脂あるいはアクリル樹脂によって被覆する。こうして図１１に示す光ファイバ１１０が出来上がる。
【００８８】
光増幅用の光ファイバ３１０は図３５に示すように、コア母材７０，７０，…の替わりに中心軸部分４７５にＧｅとＥｒとを含有している石英円柱であるコア母材４７０，４７０，…を用いて光ファイバ母材４０６が作成され、Ｅｒをコア１８部分に含有する光ファイバ前駆体４０３が形成されることのみが光ファイバ１１０との製造方法と異なっており、それ以外の部分は同じである。
【００８９】
＜実施形態３の変形例＞
図１４に本実施形態の変形例に係る光ファイバ１２０の横断面図を示す。この変形例はコア１１，１１，…の数と配置が上記の実施形態とは異なっており、それ以外は上記の実施形態と同じであるので、同じところは説明を省略する。
【００９０】
本変形例の光ファイバ１２０に係るコア１１，１１，…は光ファイバ横断面において、正方形の各辺に３つ、中心に１つの９つの位置のうち、一つの頂点を除いた８つの位置に配置されており、正方形の中心が光ファイバ中心軸に略一致している。コア１１，１１，…の材質は、上記の実施形態と同じく、石英にＧｅとＥｒを添加したものである。光方向変更部４０はコア１１が存していない正方形の頂点の近辺であってその頂点よりも第２クラッド３０に近い位置に配置されている。
【００９１】
本変形例の光ファイバ１２０は上記の実施形態３の効果と同様の効果を奏する。この変形例においてコアに希土類元素を添加して光増幅機能を持たせてもよい。
【００９２】
（実施形態４）
実施形態４に係る光ファイバ１１１の断面を図１５に示す。本実施形態の光ファイバ１１１と実施形態３の光ファイバ１１０との違いは、第２クラッド３１と、光方向変更部４０，４１が２つあるところとにあり、その他は同じであるので、実施形態３と異なっているところを主として説明する。
【００９３】
本実施形態の光ファイバ１１１は、純粋石英ガラスからなる第１クラッド２０の周囲を囲繞する第２クラッド３１がフッ素含有石英ガラスからなっている。第２クラッド３１はフッ素含有石英ガラスであるため、純粋の石英よりも屈折率が低くなる。従って、実施形態３と同じように第１クラッド２０を通過していく励起光が第２クラッド３１により第１クラッド２０内に閉じ込められる。
【００９４】
本実施形態では、フッ素含有石英ガラスからなる光方向変更部４０と、光ファイバ中心軸に沿って延びる空孔である光方向変更部４１との２種類の光方向変更部４０，４１が存している。２つの光方向変更部４０，４１は、コア１０，１０，…が形成する正六角形の隣り合う２辺の外側にそれぞれ存している。これにより、スキュー光の進行方向をより効率的に変更することができると同時に、他の光ファイバとの接続の場合のコアの順序を示すマーカーとなる。即ち、２種類の光方向変更部４０，４１は光ファイバ端面において見え方が異なって２つを識別することができ、光ファイバ中心軸を含む面において線対称とならないのでマーカーとして使用可能となる。そのため、光ファイバの両端のどちらを見ても、各コア１０，１０，…を一つ一つ個別に特定できる。
【００９５】
図３６に示す本実施形態の光増幅機能を備えた光ファイバ３１１は、コア１８，１８，…に希土類元素が添加されていることが、上記の光ファイバ１１１と異なっており、他の構造、材質などは光ファイバ１１１と同じである。なお、光増幅用の光ファイバ３１０のコア１８，１８，…に添加されている希土類元素の濃度は、１００〜３００００質量ｐｐｍである。
【００９６】
本実施形態の光ファイバ１１１を、図２５に示す第１の光ファイバ５１０として用い、光ファイバ３１１を第２の光ファイバ５２０として用いて光増幅器を作成する場合、実施形態１の光増幅器と同じ効果を奏する上に、Ａにおける接続を、２種類の光方向変更部４０，４１をマーカーとして用いることにより容易に行うことができる。
【００９７】
以上より、本実施形態の光ファイバ１１１及び光ファイバ３１１は実施形態３の光ファイバ１１０及び光ファイバ３１０と同様な効果を奏し、さらに、実施形態３の効果に加えて、他の光ファイバとの接続の際に光方向変更部４０，４１を、コア１０，１０，…及びコア１８，１８，…それぞれを個別に識別できるマーカーとして利用することができる。
【００９８】
−製造方法Ｃ２−
本実施形態の光ファイバ１１１を製造する製造方法Ｃ２を、図１６を参照にして説明する。
【００９９】
まず石英パイプ６１と、中心軸部分７５に希土類元素を含有している石英円柱であるコア母材７０，７０，…と、フッ素含有石英ロッド８０と、石英キャピラリ８２とを用意する。コア母材７０の中心軸部分７５にはＧｅも含有されている。石英キャピラリ８２の両端は封止されて閉じられている。
【０１００】
それから石英パイプ６１の中心の空孔部分に、まず７本のコア母材７０，７０，…を挿入して詰め込み、コア部材７０，７０と石英パイプ６１との間にフッ素含有石英ロッド８０と石英キャピラリ８２とを詰め込む。フッ素含有石英ロッド８０と石英キャピラリ８２とは、１本のコア部材７０を間に挟む位置に配置させる。
【０１０１】
さらにこの石英パイプ６１をフッ素含有石英パイプ（低屈折率部材）７６の中心の空孔部に入れて光ファイバ母材２２０を形成する。
【０１０２】
次に光ファイバ母材２２０を加熱し、柔らかくして中心軸方向に延伸すると、石英パイプ６１とコア母材７０，７０，…との間の隙間、コア母材７０とコア母材７０との間の隙間、石英パイプ６１、コア母材７０とフッ素含有石英ロッド８０との間の隙間、石英パイプ６１、コア母材７０と石英キャピラリ８０との間の隙間、及び石英パイプ６１とフッ素含有石英パイプ７６との間の隙間がなくなり、図１５に示す光ファイバ１１１が形成される。
【０１０３】
光増幅用の光ファイバ３１１は図３７に示すように、コア母材７０，７０，…の替わりに中心軸部分４７５にＧｅとＥｒとを含有している石英円柱であるコア母材４７０，４７０，…を用いて光ファイバ母材４２０が形成されることのみが光ファイバ１１１との製造方法と異なっており、それ以外の部分は同じである。
【０１０４】
−製造方法Ｄ２−
別の製造方法である製造方法Ｄ２を図１７を参照して説明する。まず、石英ロッドを用意し、ロッド中心軸に沿って複数の孔をあける。孔は、石英ロッドの横断面において正六角形の各頂点とその中心及び正六角形配置の外側に２つ配置されるように開けられる。
【０１０５】
次に、孔を開けられた有孔石英ロッド６３’の孔に、複数のコア母材７０，７０，…及び正六角形配置の外側の孔にフッ素含有石英ロッド８０と石英キャピラリ８２を挿入する。コア母材７０，７０，…、フッ素含有石英ロッド８０、石英キャピラリ８２の外径は、孔の径よりも少し小さく設定されている。また石英キャピラリ８２の両端は封止されて閉じられている。
【０１０６】
さらにこの有孔石英ロッド６３’をフッ素含有石英パイプ（低屈折率部材）７６の中心の空孔部に入れて光ファイバ母材２２１を形成する。
【０１０７】
次に光ファイバ母材２２１を加熱し、柔らかくして中心軸方向に延伸すると、有孔石英ロッド６３’とコア母材７０，７０，…との間の隙間、有孔石英ロッド６３’と石英キャピラリ８２との間の隙間、有孔石英ロッド６３’とフッ素含有石英ロッド８０との間の隙間及び有孔石英ロッド６３’とフッ素含有石英パイプ７６との間の隙間がなくなり、図１５に示す光ファイバ１１１が形成される。
【０１０８】
光増幅用の光ファイバ３１１は図３８に示すように、コア母材７０，７０，…の替わりに中心軸部分４７５にＧｅとＥｒとを含有している石英円柱であるコア母材４７０，４７０，…を用いて光ファイバ母材４２１が形成されることのみが光ファイバ１１１との製造方法と異なっており、それ以外の部分は同じである。
【０１０９】
−製造方法Ｅ２−
別の製造方法である製造方法Ｅ２を図１８を参照して説明する。まず、二層構造石英ロッドを用意する。この二層構造石英ロッドは内層６４が石英からなり、外層７７がフッ素含有石英からなっている。この二層構造石英ロッドの内層６４に、ロッド中心軸に沿って複数の孔をあける。孔は、石英ロッドの横断面において正六角形の各頂点とその中心及び正六角形配置の外側に２つに配置されるように開けられる。
【０１１０】
次に、孔を開けられた有孔二層構造石英ロッド７８’の孔に、複数のコア母材７０，７０，…及び正六角形配置の外側の孔にフッ素含有石英ロッド８０と石英キャピラリ８２を挿入して光ファイバ母材２２２を形成する。コア母材７０，７０，…、フッ素含有石英ロッド８０、石英キャピラリ８２の外径は、孔の径よりも少し小さく設定されている。また石英キャピラリ８２の両端は封止されて閉じられている。
【０１１１】
次に光ファイバ母材２２２を加熱し、柔らかくして中心軸方向に延伸すると、有孔二層構造石英ロッド７８’とコア母材７０，７０，…との間の隙間、有孔二層構造石英ロッド７８’と石英キャピラリ８２との間の隙間及び有孔二層構造石英ロッド７８’とフッ素含有石英ロッド８０との間の隙間がなくなり、図１５に示す光ファイバ１１１が形成される。
【０１１２】
光増幅用の光ファイバ３１１は図３９に示すように、コア母材７０，７０，…の替わりに中心軸部分４７５にＧｅとＥｒとを含有している石英円柱であるコア母材４７０，４７０，…を用いて光ファイバ母材４２２が形成されることのみが光ファイバ１１１との製造方法と異なっており、それ以外の部分は同じである。
【０１１３】
＜実施形態４の変形例＞
−変形例ａ−
図１９に本実施形態の変形例ａに係る光ファイバ１２１の横断面図を示す。この変形例は光方向変更部４０ａ，４０ｂ，４０ｃの種類、数、配置が上記の実施形態とは異なっており、それ以外は上記の実施形態と同じであるので、同じところは説明を省略する。
【０１１４】
本変形例の光ファイバ１２１に係る光方向変更部４０ａ，４０ｂ，４０ｃは３つ存しており、いずれもフッ素含有石英からなっている。一つの光方向変更部４０ａは、コア１０，１０が形成する正六角形の一つの辺の外側に存し、残りの二つの光方向変更部４０ｂ，４０ｃはその隣の辺の外側に存している。このような配置により、光方向変更部４０ａ，４０ｂ，４０ｃを他の光ファイバとの融着接続するためのマーカーとして使用することができ、光ファイバの両端のどちらを見ても、各コア１０，１０，…を一つ一つ個別に特定できる。
【０１１５】
本変形例の光ファイバ１２１は上記の実施形態４の効果と同様の効果を奏する。コアに希土類元素が添加されている光ファイバにおいてもこの変形例と同様の構造の場合、上記の実施形態４と同じ効果を奏する。
【０１１６】
−変形例ｂ−
図２０に本実施形態の変形例ｂに係る光ファイバ１２２の横断面図を示す。この変形例はコア１２，１２，…の数と配置及び光方向変更部４０の数、種類、配置が上記の実施形態とは異なっており、それ以外は上記の実施形態と同じであるので、同じところは説明を省略する。
【０１１７】
本変形例の光ファイバ１２２に係る４つのコア１２，１２，…は、光ファイバ横断面において正方形の各頂点に位置しており、正方形の中心が光ファイバ中心軸に略一致している。コア１２，１２，…の材質は、上記の実施形態と同じく、石英にＧｅとＥｒを添加したものである。
【０１１８】
光方向変更部４０はコア１２，１２，…が形成する正方形の一つの辺の延長線上に位置している。このような配置により、光方向変更部４０を他の光ファイバとの融着接続するためのマークとして使用することができ、光ファイバの両端のどちらを見ても、各コア１２，１２，…を一つ一つ個別に特定できる。
【０１１９】
本変形例の光ファイバ１２２は上記の実施形態４の効果と同様の効果を奏する。コアに希土類元素が添加されている光ファイバにおいてもこの変形例と同様の構造の場合、上記の実施形態４と同じ効果を奏する。
【０１２０】
−変形例ｃ−
図２１に本実施形態の変形例ｃに係る光ファイバ１２３の横断面図を示す。この変形例はコア１３，１３，…の数と配置及び光方向変更部４０の数、種類、配置が上記の実施形態とは異なっており、それ以外は上記の実施形態と同じであるので、同じところは説明を省略する。
【０１２１】
本変形例の光ファイバ１２３に係る５つのコア１３，１３，…は、光ファイバ横断面において正方形の中心と各頂点とに位置しており、正方形の中心が光ファイバ中心軸に略一致している。コア１３，１３，…の材質は、上記の実施形態と同じく、石英にＧｅとＥｒを添加したものである。
【０１２２】
光方向変更部４０はコア１３，１３，…が形成する正方形の一つの辺のほぼ延長線上に位置している。このような配置により、光方向変更部４０を他の光ファイバとの融着接続するためのマーカーとして使用することができ、光ファイバの両端のどちらを見ても、各コア１３，１３，…を一つ一つ個別に特定できる。
【０１２３】
本変形例の光ファイバ１２３は上記の実施形態４の効果と同様の効果を奏する。コアに希土類元素が添加されている光ファイバにおいてもこの変形例と同様の構造の場合、上記の実施形態４と同じ効果を奏する。
【０１２４】
−変形例ｄ−
図２２に本実施形態の変形例ｄに係る光ファイバ１２４の横断面図を示す。この変形例はコア１４，１４，…の数と配置及び光方向変更部４０の数、種類、配置が上記の実施形態とは異なっており、それ以外は上記の実施形態と同じであるので、同じところは説明を省略する。
【０１２５】
本変形例の光ファイバ１２４に係る９つのコア１４，１４，…は、光ファイバ横断面において正方形の各辺に３つ、中心に１つの９つの位置に存しており、正方形の中心が光ファイバ中心軸に略一致している。コア１４，１４，…の材質は、上記の実施形態と同じく、石英にＧｅとＥｒを添加したものである。
【０１２６】
光方向変更部４０はコア１４，１４，…が形成する正方形の一つの辺の外方であって隣り合う２つのコア１４，１４からほぼ等距離の位置に配置されている。このような配置により、光方向変更部４０を他の光ファイバとの融着接続するためのマークとして使用することができ、光ファイバの両端のどちらを見ても、各コア１４，１４，…を一つ一つ個別に特定できる。
【０１２７】
本変形例の光ファイバ１２４は上記の実施形態４の効果と同様の効果を奏する。コアに希土類元素が添加されている光ファイバにおいてもこの変形例と同様の構造の場合、上記の実施形態４と同じ効果を奏する。
【０１２８】
−変形例ｅ−
図２３に本実施形態の変形例ｅに係る光ファイバ１２５の横断面図を示す。この変形例はコア１５，１５，…の数と配置及び光方向変更部４０の数、種類、配置が上記の実施形態とは異なっており、それ以外は上記の実施形態と同じであるので、同じところは説明を省略する。
【０１２９】
本変形例の光ファイバ１２５に係る８つのコア１５，１５，…は、光ファイバ横断面において正方形の各辺に３つずつ配置された位置に存しており、正方形の中心が光ファイバ中心軸に略一致している。コア１５，１５，…の材質は、上記の実施形態と同じく、石英にＧｅとＥｒを添加したものである。
【０１３０】
光方向変更部４０はコア１５，１５，…が形成する正方形の一つの辺の外方であって隣り合う２つのコア１５，１５からほぼ等距離の位置に配置されている。このような配置により、光方向変更部４０を他の光ファイバとの融着接続するためのマーカーとして使用することができ、光ファイバの両端のどちらを見ても、各コア１５，１５，…を一つ一つ個別に特定できる。
【０１３１】
本変形例の光ファイバ１２５は上記の実施形態４の効果と同様の効果を奏する。コアに希土類元素が添加されている光ファイバにおいてもこの変形例と同様の構造の場合、上記の実施形態４と同じ効果を奏する。
【０１３２】
（その他の実施形態）
上述の実施形態は本願発明の例示であって、本願発明はこれらの例に限定されず、これらの例に周知技術や慣用技術、公知技術を組み合わせたり、一部置き換えたりしてもよい。実施形態、実施例同士を組み合わせても構わない。例えば第２クラッドの外側にさらにサポートのための第３のクラッドを設けても構わない。上述の実施形態の光増幅用の光ファイバにおいて、各光ファイバの複数のコアのうち、全てのコアに希土類元素が添加されていなくてもよく、１つの光ファイバにおいて少なくとも１本のコアに希土類元素が含まれていればよい。光増幅器の構成も図２５の構成に限定されず、例えば励起光源は１つでもよいし、信号光と励起光とを同時に一つの合波器で合波しなくてもよい。合波器は、光ファイバカプラ、光ファイバを使用したコンバイナ、レンズ等で構成される空間光学系などを用いることができる。
【０１３３】
実施形態１の変形例２において、第１クラッドの外周形状は正六角形以外の他の多角形形状であってもよい。
【０１３４】
コアに添加する希土類元素は、Ｅｒに限定されずＹｂ、Ｎｄ、Ｐｒ等どのような希土類元素でも構わない。希土類元素の種類によって信号光および励起光の波長が異なる。
【０１３５】
コア、第１クラッドおよび第２クラッドの屈折率は、用いる信号光の波長における屈折率であるが、本願発明では可視光から近赤外光の範囲における屈折率である。
【０１３６】
フッ素含有石英の替わりにホウ素含有石英を用いてもよい。ただし、ホウ素含有石英を用いると、周囲の石英に対して応力を付与して影響を与えるため、フッ素含有石英の方が好ましい。
【０１３７】
光方向変更部に用いる材質は、第１クラッドよりも屈折率が高いものであっても、スキュー光を消滅させるので、高屈折率の部材を用いても構わない。ただ、光方向変更部に第１クラッドよりも屈折率が高い材質が用いられていると、光方向変更部もコアとして機能してしまい、他のコアとの摂動が発生してしまう。
【０１３８】
光方向変更部としてフッ素含有石英の替わりに空孔を用いてもよい。
【０１３９】
実施形態４の各変形例において、第２クラッドを実施形態３の樹脂としてもよい。
【０１４０】
実施形態４及びその変形例において光方向変更部の光ファイバ横断面における位置及び数は、光ファイバの両端のどちらから見ても各コアを一つ一つ個別に特定できるのであれば特に位置・数は限定されない。
【産業上の利用可能性】
【０１４１】
以上説明したように、本発明に係る光ファイバは、光増幅器等に用いられる光ファイバとして有用である。
【符号の説明】
【０１４２】
１０                      コア
１１                      コア
１２                      コア
１３                      コア
１４                      コア
１５                      コア
１８                      コア
２０，２１，２２          第１クラッド
３０                      第２クラッド
３１，３２                第２クラッド
３５                      空孔
４０                      光方向変更部
４０ａ，４０ｂ，４０ｃ    光方向変更部
４１                      光方向変更部
６０                      石英パイプ
６１                      石英パイプ
６２，６３，６３’，６５  有孔石英ロッド
６４                      内層
７０                      コア母材
７５                      中心軸部分
７６                      フッ素含有石英パイプ（低屈折率部材）
７７                      外層
７８，７８’              有孔二層構造石英ロッド
８０                      フッ素含有石英ロッド
８２                      石英キャピラリ
１００                    光ファイバ
１０１                    光ファイバ
１０２，１０３，１０４    光ファイバ
１１０，１２０            光ファイバ
１１１                    光ファイバ
１２１，１２２            光ファイバ
１２３，１２４            光ファイバ
１２５                    光ファイバ
２００                    光ファイバ母材
２０１，２０３            光ファイバ前駆体
２０２，２０６            光ファイバ母材
２１０，２１１，２１２    光ファイバ母材
２２０，２２１，２２２    光ファイバ母材
３００，３０１            光ファイバ
３１０，３１１            光ファイバ
４００                    光ファイバ母材
４０１，４０３            光ファイバ前駆体
４１０，４１１，４１２    光ファイバ母材
４２０，４２１，４２２    光ファイバ母材
４７０                    コア母材
４７５                    中心軸部分
【図１】
2013033863.tif 000003
【図２】
2013033863.tif 000004
【図３】
2013033863.tif 000005
【図４】
2013033863.tif 000006
【図５】
2013033863.tif 000007
【図６】
2013033863.tif 000008
【図７】
2013033863.tif 000009
【図８】
2013033863.tif 000010
【図９】
2013033863.tif 000011
【図１０】
2013033863.tif 000012
【図１１】
2013033863.tif 000013
【図１２】
2013033863.tif 000014
【図１３】
2013033863.tif 000015
【図１４】
2013033863.tif 000016
【図１５】
2013033863.tif 000017
【図１６】
2013033863.tif 000018
【図１７】
2013033863.tif 000019
【図１８】
2013033863.tif 000020
【図１９】
2013033863.tif 000021
【図２０】
2013033863.tif 000022
【図２１】
2013033863.tif 000023
【図２２】
2013033863.tif 000024
【図２３】
2013033863.tif 000025
【図２４】
2013033863.tif 000026
【図２５】
2013033863.tif 000027
【図２６】
2013033863.tif 000028
【図２７】
2013033863.tif 000029
【図２８】
2013033863.tif 000030
【図２９】
2013033863.tif 000031
【図３０】
2013033863.tif 000032
【図３１】
2013033863.tif 000033
【図３２】
2013033863.tif 000034
【図３３】
2013033863.tif 000035
【図３４】
2013033863.tif 000036
【図３５】
2013033863.tif 000037
【図３６】
2013033863.tif 000038
【図３７】
2013033863.tif 000039
【図３８】
2013033863.tif 000040
【図３９】
2013033863.tif 000041